(57)【要約】      （修正有）【課題】簡易な構造でありながらも体裁よく表示物を飾ることができ、かつ、表示物の入れ替えが容易な額縁及び額縁型広告媒体を提供する。【解決手段】開口部を囲む枠形状に形成された表側片部２と、平坦状に形成された裏側片部３とが折り曲げ部を介して連設され、表側片部２が裏側片部３に折り曲げ可能となっている紙材料で形成された本体部と、一側に表示物を出し入れする挿入口が形成された合成樹脂製の袋体によって形成され、開口部に対応するように裏側片部３に設けられた表示物挿入部６と、表側片部２の枠形状に対応した形状に形成され、表側片部２の表面側に設けられる飾縁部９と、表示物挿入部６内に表示物と共に挿入され、表示物挿入部６との間で表示物を支持する台座部材と、を有する。【選択図】図１
0003195424.tif 000002
【実用新案登録請求の範囲】
【請求項１】
開口部を囲む枠形状に形成された表側片部と、平坦状に形成された裏側片部とが折り曲げ部を介して連設され、前記表側片部が前記裏側片部に折り曲げ可能となっている紙材料で形成された本体部と、
一側に表示物を出し入れする挿入口が形成された合成樹脂製の袋体によって形成され、前記開口部に対応するように前記裏側片部に設けられた表示物挿入部と、
前記表側片部の枠形状に対応した形状に形成され、前記表側片部の表面側に設けられる飾縁部と、
前記表示物挿入部内に表示物と共に挿入され、前記表示物挿入部との間で表示物を支持する台座部材と、
を有することを特徴とする額縁。
【請求項２】
請求項１に記載された額縁の表示物挿入部に、宣伝広告表示物を挿入したことを特徴とする額縁型広告媒体。
【考案の詳細な説明】
【技術分野】
【０００１】
本考案は、例えば写真、許可証、表彰状等を表装し、壁等に掛けたり、机上に立てかけたりするのに使用される額縁、及び配布等の宣伝活動に用いる額縁型広告媒体に係り、より詳しくは、軽量で表示物の入れ替えが容易であり、簡易な構造でありながらも体裁よく表示物を飾ることができる額縁、及びそれに宣伝広告表示物を挿入して配布等の宣伝活動に用いる額縁型広告媒体に関する。
【背景技術】
【０００２】
従来の額縁は、額縁枠が木製や金属製やプラスチック製で作られ、内側の表示窓はガラスや透明なプラスチックを用いるのが主流である。また、壁に展示する場合には、額縁自体の重量がかさむため壁に穴をあけて吊り下げることが行われている。
【０００３】
このような従来の額縁は、高価なこと、重量がかさむことから、より安価で簡便に使用でき、より軽量で展示の容易な紙製額縁が提案されている。特許文献１には、複数の紙材を組み合わせて作る組み立て式の紙製額縁が提案され、特許文献２には、１枚の厚紙の外周部を折り曲げて縁部を形成する紙製額縁が提案されている。
【０００４】
しかしながら、これらの提案では、軽量性は果されるものの、組み立ての煩雑さや、表示物の入れ替え性に問題を有していた。
【先行技術文献】
【特許文献】
【０００５】
【特許文献１】特開２０００−１８９３０２号公報
【特許文献２】特開２０１１−２４５１３１号公報
【考案の概要】
【考案が解決しようとする課題】
【０００６】
本考案は、上記従来技術の課題に鑑みてなされたものであって、本考案の目的は、軽量で簡易な構造でありながらも体裁よく表示物を飾ることができ、かつ、表示物の入れ替えが容易な額縁を提供することにある。
また、本考案の他の目的は、表示物の入れ替えが容易な額縁内に宣伝広告表示物を挿入して配布等の宣伝活動に用いる額縁型広告媒体を提供することにある。
【課題を解決するための手段】
【０００７】
上記目的を達成するためになされた本考案の一態様による額縁は、開口部を囲む枠形状に形成された表側片部と、平坦状に形成された裏側片部とが折り曲げ部を介して連設され、前記表側片部が前記裏側片部に折り曲げ可能となっている本体部と、一側に表示物を出し入れする挿入口が形成された合成樹脂製の袋体によって形成され、前記開口部に対応するように前記裏側片部に設けられた表示物挿入部と、前記表側片部の枠形状に対応した形状に形成され、前記表側片部の表面側に設けられる飾縁部と、前記表示物挿入部内に表示物と共に挿入され、前記表示物挿入部との間で表示物を支持する台座部材と、を有することを特徴とする。
【０００８】
上記他の目的を達成するためになされた本考案の一態様による額縁型広告媒体は、前記額縁の表示物挿入部に宣伝広告表示物を挿入したことを特徴とする。
【考案の効果】
【０００９】
本考案の額縁によれば、軽量で表示物の入れ替えが容易であり、簡易な構造でありながらも体裁よく表示物を飾ることができる。
また、本考案の額縁型広告媒体によれば、簡易な構造でありながらも体裁よく宣伝広告表示物を飾ることができるので、配布等の宣伝活動に有益である。
【図面の簡単な説明】
【００１０】
【図１】本発明の一実施形態に係る額縁の外観斜視図である。
【図２】本発明の一実施形態に係る額縁の構成を説明するための展開概略図である。
【考案を実施するための形態】
【００１１】
本考案の実施の形態を、図を参照して以下に詳述するが、本考案はこれに限定されるものではない。
図１及び図２は、本考案の一実施形態に係る額縁の外観斜視図と、構成を説明するための展開概略図である。
【００１２】
図１、２に示すように、本実施形態に係る額縁は、開口部５を囲む枠形状に形成された表側片部２と、平坦状に形成された裏側片部３とが折り曲げ部４を介して連設され、表側片部２が裏側片部３に折り曲げ可能となっている紙材料で形成された本体部１と、一側に表示物を出し入れする挿入口７が形成された合成樹脂製の袋体によって形成され、開口部５に対応するように裏側片部３に設けられた表示物挿入部６と、表側片部２の枠形状に対応した形状に形成され、表側片部２の表面側に設けられる飾縁部９と、表示物挿入部６内に表示物と共に挿入され、表示物挿入部６との間で表示物を支持する台座部材８と、を有する。
【００１３】
本体部１を製造する材料は、例えば、紙材料、合成樹脂、木材、アルミ等の金属などが挙げられるが、紙材料であることが軽量で取り扱いやすいことから好ましく、紙材料としては、０．５〜３ｍｍの厚紙が好ましい。
【００１４】
表示物挿入部６は、額縁内に表示物を保持するためのものであり、開口部５に対応するように裏側片部３に設けられ、表示物を展示するために、前面が透明部材で形成されるか、又は、表示部分を開口した窓部を有しており、窓部は透明部材で覆われていてもよい。
表示物挿入部６は、開口部５の形状に対し、若干大きく形成することが好ましく、それにより表側片部２の枠部分と密着するので美観的に優れる。
また、表示物挿入部６は、合成樹脂等の透明材料で形成された一側に挿入口を有する袋状物であってよい。合成樹脂材料としては、例えば、オレフィン系樹脂、ＰＥＴ、ポリ塩化ビニル等が挙げられる。袋状の表示物挿入部６は、開口部５に対応するように裏側片部３に設けられ、接着剤、両面接着テープ等で固定される。
【００１５】
表示物挿入部６には、表示物と共に台座部材８が挿入され、台座部材８は、表示物挿入部６との間で表示物の位置を表側片部２の開口部５内の任意の位置に支持する。台座部材８は、開口部５に対して形状の小さなものにおいては、背面板として表示物を引き立たせる役目をする。
台座部材８による圧着保持が困難な表示物については、台座部材８に凹部を設け、そこに表示物を保持してもよい。
【００１６】
本体部１の折り曲げ部４は、表側片部２が裏側片部３に折り曲げ可能となるように設けられる。また、折り曲げ部４は、折り曲げを容易にするために折り溝を設けることが好ましく、額縁に厚みを持たせる場合には、厚み長さに離隔した２個所の折り曲げ部を設けてもよい。
【００１７】
飾縁部９は、額縁の縁部を装飾するためのものであり、表側片部２の枠形状に対応した形状に形成され、表側片部２の表面側に設けられる。
飾縁部９は、立体的な装飾模様の装飾板、装填用装飾材料、立体模様を模した立体画など、表示物に合わせて選定できる。飾縁部９の形成は、表側片部２の表面側に貼り付けることで形成することができ、印刷等の手段で表側片部２の表面に形成してもよい。飾縁部９を設けることで、簡便に体裁よく表示物を飾ることができる。
【００１８】
本実施形態の額縁は、表側片部２と裏側片部３の重ねあった面のそれぞれ又はいずれか一方に、相互に連結させるための着脱可能な接合部を設けてもよい。接合部を設けることにより、額縁を傾けて掛けた際の表側片部２と裏側片部３の開離が防止できる。
接合部は、表側片部２の裏面側及び又は対応する位置の裏側片部３の裏面側に設けられ、例えば、係合突起と係合凹部、マグネットシートと金属片、マジックテープ（登録商標）、粘着テープなどを用いることができ、特には、開閉が容易であって係合が堅固な係合突起と係合凹部の組み合わせであることが好ましい。
接合部を設ける部位は、表側片部２の裏面側及び対応する位置の裏側片部３の裏面側であって、裏側片部３の表示物挿入部６の設けられた部位及びそれに対応した表側片部２の部位以外であることが望ましく、特には、表側片部２と裏側片部３の重ねあった面の開放される辺部に設けることが好ましい。
【００１９】
本実施形態の額縁は、立体額縁等の厚みの大きな額縁として使用する場合などに、表側片部２又は裏側片部３の外周部に側壁部を設けてもよい。側壁部の形成は、表側片部２又は裏側片部３の外周部に側壁部対応部分を形成しておき、それを直角に折り曲げることで形成することができる。
額縁に厚みを持たせる場合には、前述のように、厚み長さに離隔した２個所の折り曲げ部を設ける。
また、側壁部を形成した場合には、表示物挿入部６及び台座部材８の厚みを側壁部の厚みと対応させておくことにより、表示物と表側片部２の隙間の発生を抑えることができる。
【００２０】
本実施形態の額縁の壁等への取り付けは、裏側片部３の背面に取付金具等を設けて行ってもよく、両面粘着テープによる貼り付け、折り曲げ部４へ紐状物を通しての吊り下げ等の方法で行うことができる。
また、裏側片部３の背面に立てかけるためのスタンド部材を設けて、立てかけてもよい。
【００２１】
本実施形態の額縁において、額縁内の表示物の入れ替えは、壁や台座などに額縁を保持した状態で表側片部２を開き、挿入口７より表示物と台座部材８を引き出し、表示物を変更して再び挿入するか、又は、予め用意した変更表示物と台座部材８のセットを挿入口７に挿入することで行う。
本実施形態の額縁は、上述のように、表示物の設置や入れ替えが容易にできるので、許可証、表彰状等の掲示、展示会等の絵画や写真等の大量展示に好適である。
【００２２】
本考案の他の目的を達成するためになされた額縁型広告媒体は、前述の額縁に挿入する表示物として、広告や情宣文書を用いたものであり、飾縁部により表示物の内容をアピールすることができるので、これを街頭配布やダイレクトメールに用いることで、情宣活動が効果的に進められる。
また、表示物として、例えば、「火災、地震、水害等の防災」、「交通安全」、「空き巣、振り込み詐欺等の防犯」などの注意事項の記載物を用いると、額縁様になっているので、受取者はこれを屋内に掲示することができるため、地域の安全等の情宣活動に役立てることができる。
【００２３】
以上、本願明細書では、本考案の内容を表現するために、図面を参照しながら本考案の実施形態の説明を行った。ただし、本考案は、上記実施形態に限定されるものではなく、本願明細書に記載された事項に基づいて当業者が自明な変更形態や改良形態を包含するものである。
【符号の説明】
【００２４】
１  ・・・本体部
２  ・・・表側片部
３  ・・・裏側片部
４  ・・・折り曲げ部
５  ・・・開口部
６  ・・・表示物挿入部
７  ・・・挿入口
８  ・・・台座部材
９  ・・・飾縁部
【図１】
0003195424.tif 000003
【図２】
0003195424.tif 000004